(57)【要約】【課題】容器未開封状態において幼児を含む子どもなどにノッチの形成位置を分かり辛くし、容器を容易に開口できないチャイルドプルーフ機能を付し、安全性を向上させた包装容器を提供する。【解決手段】内容物５を挟入する一対の胴材２，２´，２´´の周囲をヒートシールｈして、注出部３，３´，３´´，３´´´を突設させた内容物５を収容する収容部４，４´を形成し、ヒートシールｈの一部分に開封用のノッチ８，８´，８´´，８´´´を設け、注出部３，３´，３´´，３´´´周辺のヒートシール部Ｈには、注出部３，３´，３´´，３´´´の周囲に沿って設けた不連続な切込線７，７´，７´´，１４を形成するとともに、切込線７，７´，７´´，１４より注出部３，３´，３´´，３´´´方向内側のヒートシール部Ｈに、注出部３，３´，３´´，３´´´へ向けて切込線７，７´，７´´に接するノッチ８，８´，８´´，８´´´を形成した。【選択図】図３
2013180829.tif 000002
【特許請求の範囲】
【請求項１】
内容物を挟入する一対の胴材の周囲をヒートシールして、注出部を突設させた前記内容物を収容する収容部を形成し、前記ヒートシールの一部分に開封用のノッチを設けた包装容器において、
前記注出部周辺のヒートシール部には、前記注出部の周囲に沿って設けた不連続な切込線を形成するとともに、前記切込線より前記注出部方向内側の前記ヒートシール部に、前記注出部へ向けて前記切込線に接するノッチを形成したことを特徴とする包装容器。
【請求項２】
前記ヒートシール部の端部には、前記注出部方向内側へ向けて、前記切込線に接続させる折曲線を形成したことを特徴とする、請求項１に記載の包装容器。
【請求項３】
前記切込線は、前記注出部の側方を、前記ヒートシール部の端部に向けて突出させたことを特徴とする、請求項１に記載の包装容器。
【請求項４】
前記胴材は、前記収容部を形成したボトム材と、前記収容部を密封するトップ材とからなることを特徴とする、請求項１に記載の包装容器。
【発明の詳細な説明】
【技術分野】
【０００１】
本発明は、内容物を挟入する一対の胴材の周囲をヒートシールして、注出部を突設させた内容物を収容する収容部を形成し、ヒートシールの一部分に開封用のノッチを設けた包装容器に関し、より詳細には、注出部周辺のヒートシール部には、注出部の周囲に沿って設けた不連続な切込線を形成するとともに、切込線より注出部方向内側のヒートシール部に、注出部へ向けて切込線に接するノッチを形成した包装容器に関する。
【背景技術】
【０００２】
従来、醤油やマヨネーズなどの食品用調味料、歯磨粉やシャンプーなどの日用生活品またはハンドクリームなどの化粧品、あるいは顆粒や錠剤からなる胃腸薬などの医薬品は、周囲をヒートシールされた積層包装材からなる包装容器内に充填されており、消費者は、ヒートシールの一部分に形成されたノッチを起点に容器の一部を破断し、注出口を開口させて内容物を取り出すものがある。
【０００３】
例えば、特許文献１に示すように、ヒートシールされた上方シール部と下方シール部に囲まれて形成された注出口とからなり、上方シール部には、下向きに切り欠かれた第１の凹部と、この第１の凹部に隣接して上向きに張り出した摘み部が設けられ、注出口の未シール部の表面には、注出口の注出方向と略直交し、摘み部の下部から下方シール部に横断する、少なくとも３本の溝からなるハーフカット溝が設けられ、ハーフカット溝の３本の溝のうち、少なくとも下側の溝の２本の溝を切断するように、第１の凹部の下端から摘み部の下部に向かって、ハーフカット溝を横断する方向にノッチを設けることで、他の容器に移し替えて使用する際に、予定した切り取り方向に誘導され、容易にかつ確実に開封できる注出口付パウチ容器がある。
【０００４】
また、例えば、特許文献２に示すように、封着端および掴み補助部を有する包装容器の半片の間に包装物品を挿入し、半片を互いに接合し、一方の半片が比較的低い曲げ強度の材料から選択され、他方の半片が実質的に高い曲げ強度の材料から選択され、掴み補助部の開始領域に脆弱線を有するように設定されることで、平坦で感圧性の医薬品、特に経皮治療製剤のための、剥離可能な縁端封着袋に使用できるとともに、子どもによる望ましからざる使用に対する安全性を向上できるという。
【先行技術文献】
【特許文献】
【０００５】
【特許文献１】特開２０１１−１６２２１２号公報
【特許文献２】特表２００２−５０３１８７号公報
【発明の概要】
【発明が解決しようとする課題】
【０００６】
しかしながら、このような特許文献１〜２に記載の包装容器では、容器の開封を容易とするものの、容器が未開封状態においては、容器端部の一部分に形成された開封に必要なノッチが常時露出しているため、例えば、幼児を含む子どもなどがこのノッチを見つけ易く、悪戯や誤ってノッチを起点に容器の一部を破断してしまい、注出口を開口させたり、内容物を流出させてしまうという問題があった。
このため、本発明では、容器未開封状態において幼児を含む子どもなどにノッチの形成位置を分かり辛くし、容器を容易に開口できないチャイルドプルーフ機能を付し、安全性を向上させた包装容器を提供するものである。
【課題を解決するための手段】
【０００７】
このため、請求項１に記載の発明は、内容物を挟入する一対の胴材の周囲をヒートシールして、注出部を突設させた前記内容物を収容する収容部を形成し、前記ヒートシールの一部分に開封用のノッチを設けた包装容器において、前記注出部周辺のヒートシール部には、前記注出部の周囲に沿って設けた不連続な切込線を形成するとともに、前記切込線より前記注出部方向内側の前記ヒートシール部に、前記注出部へ向けて前記切込線に接するノッチを形成したことを特徴とする。
【０００８】
請求項２に記載の発明は、請求項１に記載の包装容器において、前記ヒートシール部の端部には、前記注出部方向内側へ向けて、前記切込線に接続させる折曲線を形成したことを特徴とする。
【０００９】
請求項３に記載の発明は、請求項１に記載の包装容器において、前記切込線は、前記注出部の側方を、前記ヒートシール部の端部に向けて突出させたことを特徴とする。
【００１０】
請求項４に記載の発明は、請求項１に記載の包装容器において、前記胴材は、前記収容部を形成したボトム材と、前記収容部を密封するトップ材とからなることを特徴とする。
【発明の効果】
【００１１】
請求項１に記載の発明によれば、内容物を挟入する一対の胴材の周囲をヒートシールして、注出部を突設させた内容物を収容する収容部を形成し、ヒートシールの一部分に開封用のノッチを設けた包装容器において、注出部周辺のヒートシール部には、注出部の周囲に沿って設けた不連続な切込線を形成するとともに、切込線より注出部方向内側のヒートシール部に、注出部へ向けて切込線に接するノッチを形成したので、容器未開封状態において幼児を含む子どもなどにノッチの形成位置を見え難くするとともに、ノッチを始点に破り辛い構成にして、悪戯や誤ってノッチを起点に容器の一部を破断し、注出口を開口させたり、内容物を流出させてしまうことを防ぐことができる。従って、安全性を向上させた包装容器を提供することができる。
【００１２】
請求項２に記載の発明によれば、ヒートシール部の端部には、注出部方向内側へ向けて、切込線に接続させる折曲線を形成したので、切込線に沿って破断したヒートシール部は、折曲線を介して注出部から遠ざかる方向に折り曲げられるため、注出部近傍のノッチを露出させることができ、容易にノッチを始点とし、注出部を破断して注出口を設けることができる。従って、安全性および利便性を向上させた包装容器を提供することができる。
【００１３】
請求項３に記載の発明によれば、切込線は、注出部の側方を、ヒートシール部の端部に向けて突出させたので、切込線に沿って破断したヒートシール部は、突出させて形成した切込線の内側のヒートシール部分が摘み片となり、この摘み片を摘んで楽にノッチを始点とし、注出部を破断して注出口を設けることができる。従って、安全性および利便性を向上させた包装容器を提供することができる。
【００１４】
請求項４に記載の発明によれば、胴材は、収容部を形成したボトム材と、収容部を密封するトップ材とからなるので、収容部を含む成形したボトム材にトップ材をヒートシールして得られたコシを有する容器でも、切込線に沿って破断し、露出させたノッチから容易に注出部を破断して注出口を設けることができる。従って、安全性および利便性を向上させた包装容器を提供することができる。
【図面の簡単な説明】
【００１５】
【図１】本発明の一例を示す、容器上部に切込線および折曲線を備えた包装容器の正面図である。
【図２】図１における同容器のＡ矢視側面図である。
【図３】容器上部の切込線を破断し、折曲線に沿って折り曲げてノッチを露出させた包装容器の斜視図である。
【図４】ノッチを始点として注出部の切断による注出口の形成を説明する包装容器の斜視図である。
【図５】注出口から内容物の注出を説明する包装容器の斜視図である。
【図６】ヒートシール部の端部に向けて突出させた切込線による摘み片を備える包装容器の正面図である。
【図７】切込線を破断し、折曲線に沿って折り曲げてノッチを露出させた摘み片を備える包装容器の斜視図である。
【図８】ノッチを始点として注出部の切断による注出口の形成を説明する包装容器の斜視図である。
【図９】注出口から内容物の注出を説明する包装容器の斜視図である。
【図１０】収容部を形成したボトム材と、収容部を密封するトップ材とからなる包装容器の正面図である。
【図１１】図１０における同容器のＡ矢視側面図である。
【図１２】切込線を破断し、折曲線に沿って折曲部を傾倒させ、ノッチを露出させた包装容器の斜視図である。
【図１３】注出口から内容物の注出を説明する包装容器の斜視図である。
【図１４】収容部の周囲に切込線を形成した包装容器の正面図である。
【図１５】切込線に沿ってノッチまで破断させ、破断片のヒートシール部分を持ち上げた包装容器の斜視図である。
【図１６】破断片を摘み片として、ノッチを始点に注出部を破断させて注出口を設けた包装容器の斜視図である。
【図１７】注出口から内容物の注出を説明する包装容器の斜視図である。
【発明を実施するための形態】
【００１６】
以下、図面を参照しつつ本発明を実施するための最良の形態について説明する。図１は本発明の一例を示す、容器上部に切込線および折曲線を備えた包装容器の正面図、図２は同容器の図１におけるA矢視側面図、図３は容器上部の切込線を破断し、折曲線に沿って折り曲げてノッチを露出させた包装容器の斜視図、図４はノッチを始点として注出部の切断による注出口の形成を説明する包装容器の斜視図、図５は注出口から内容物の注出を説明する包装容器の斜視図である。
【００１７】
本願発明の包装容器１は、内容物に、例えば、醤油やマヨネーズ、ケチャップなどの調味料やジェル状のゼリーなどを含む食品、歯磨粉などの練り状物やシャンプーなどの日用生活品、またはハンドクリームなどの化粧品、傷薬などの医薬品を例示するが、あらゆる物を収容することができる。
【００１８】
そして、図１〜２に示すように、本願包装容器１は、例えば略長方形状（正方形や三角形など限定しない）を有する前後一対の胴材２の周囲をヒートシールｈして、その内側部分に収容部４を形成するとともに、この収容部４の上方（限定されず下方であってもよい）であって、容器上部（限定されず下部であってもよい）には、後述する注出部３を除いてヒートシールｈしたヒートシール部Ｈを設ける。
【００１９】
そして、収容部４上端の一部（図例では中央部）から注出部３を上方へ向けて延設させ、この注出部３が収容部４に連通し、これら注出部３および収容部４内に上述したような内容物５が収容される。
【００２０】
また、ヒートシール部Ｈには、容器両端から注出部３へ向けた中途部まで、折線などの折曲線６が形成され、これら折曲線６の内側端から、注出部３の外側に沿って不連続な切込線７が形成される。なお、切込線７の不連続部（切込がない部分）は、図例では円弧内の２箇所に形成しているが、これに限定されず、切込線７内の任意な位置に複数個所形成させることができる。
【００２１】
また、切込線７より内側（注出部３側）のヒートシール部Hには、切込線７に接して注出部３へ向け中途部まで、開封用のノッチ８が形成されるが、形成方向は胴材２の軸延伸方向であることが好ましい。
【００２２】
また、胴材２は、周知のように、外側から内容物５を密封し接触する内側へ向けて順に、一軸延伸ポリプロピレン（ＯＰＰ）などのポリオレフィン組成物からなる周知の表面基材層（印刷基材層）、インキ層、接着層およびシーラント層などからなる積層体であってもよい。
【００２３】
表面基材層としての印刷基材層は、延伸ナイロンフィルム（ＯＮｙ）などを用いることができ、周知の印刷方法によって、内容表示または美感付与等の目的で設けられるものであり、適宜必要に応じて用いられる。通常、この印刷基材層は、表面基材層の下面側、すなわち包装容器１が作製された際に、表面基材層の内側（内容物５側）になるように形成される。
【００２４】
接着層は、周知のもので衛生的に支障のない、例えば二液硬化型ポリウレタン接着剤などを用いることができる。
【００２５】
シーラント層は、表面基材層下面（収容部４側の面）に接着剤を介して設けられ、包装容器１が作製された際には、内容物５に接触する最内層となる。このシーラント層としては、ポリエチレン（ＰＥ）や、低密度ポリエチレンフィルム、超低密度ポリエチレンフィルム、直鎖状低密度ポリエチレンフィルム、中密度ポリエチレンフィルム、高密度ポリエチレンフィルム（これらポリエチレンフィルムの略称をＰＥＦ）、ポリエチレンテレフタレートフィルム（ＰＥＴ）、無延伸ポリプロピレンフィルム、エチレン−酢酸ビニル共重合体フィルム、エチレン−アクリル酸共重合体フィルム、エチレン−メタクリル酸共重合体フィルム、エチレン−メチルアクリレート共重合体フィルム、エチレン−エチルアクリレート共重合体フィルム、エチレン−メチルメタクリレート共重合体フィルム、アイオノマーフィルムのうち、何れか一種以上のフィルムが使用され、単層シーラント層または多層シーラント層とすることができる。
【００２６】
ここで、包装容器１を開封して内容物５を注出させる方法を説明する。まず、上述したように、包装容器１の未開封状態では、胴材２のヒートシール部Ｈは、まだ折曲線６で折り曲げられておらず、ヒートシール部Ｈと、収容部４とは容器正面視あるいは側面視略一直線上の同一平面上に有する。
【００２７】
このため、容器外方からは、このヒートシール部Ｈ内のノッチ８の形成位置が、切込線７の方に視線が引き付けられることや、あるいはヒートシール部Ｈの色、印刷文字、模様などにより分かり辛く、ノッチ８を視認することが難しい。この状態において、幼児を含む子どもなどは、ノッチ８の形成位置が分からず、包装容器１を容易に開封させることはできない。
【００２８】
さらには、ノッチ８の外側端は、切込線７を介してヒートシール部Ｈと接しているため、このノッチ８の外側端が、ヒートシール部Ｈに覆われているため、ノッチ８の外側端を起点にしてノッチ８を引き裂くことが難しい構造を有しており、この点においても包装容器１を容易に開封させることはできない。
【００２９】
次に、ユーザーは、指で、まずヒートシール部Ｈにおける切込線７の不連続部を破断させ、切込線７よりも外側のヒートシール部Ｈにおける折曲部９を、図３に示すように、折曲線６に沿って折り曲げながら（図例では手前だが奥側でもよい）傾倒し、ノッチ８を露出させる。
【００３０】
そして、図４に示すように、指などでノッチ８を起点にして軸延伸方向（横方向）に胴材２のヒートシール部Ｈを引き裂くことで、注出部３を開口させて注出口１０を形成し、図５に示すように、この注出口１０から内容物５を注出させることができる。
【００３１】
このように、ノッチ８の形成位置（ノッチ８の外側端）を、ヒートシール部Ｈの折曲部９で覆うことで、容器未開封時に外側からは、この折曲部９や、切込線７あるいはヒートシール部Ｈの色、印刷文字、模様などによりノッチ８を視認し辛いため、幼児を含む子どもなどにノッチ８の形成位置が分かり辛く、悪戯や誤ってノッチ８を起点に容器の一部を破断し、注出口１０を開口させたり、内容物５を流出させてしまうことを防ぐことができる。
【００３２】
なお、折曲部９は、折曲線６に沿って折り曲げた際、収容部４側方の胴材２におけるヒートシールｈ部分に図示しないクリップなどで係止させたり、あるいは折曲線６をミシン目などで形成することにより、折曲部９を折り曲げた際に、折曲線６を破断させて折曲部９を包装容器１から取外す構成にしてもよい。
【００３３】
切込線は、次のような構成にすることもできる。図６はヒートシール部の端部に向けて突出させた切込線による摘み片を備える包装容器の正面図、図７は切込線を破断し、折曲線に沿って折り曲げてノッチを露出させた摘み片を備える包装容器の斜視図、図８はノッチを始点として注出部の切断による注出口の形成を説明する包装容器の斜視図、図９は注出口から内容物の注出を説明する包装容器の斜視図である
【００３４】
この場合、図６に示すように、包装容器１´は、上記同様に、例えば略長方形状（正方形や三角形など限定しない）を有する前後一対の胴材２の周囲をヒートシールｈして、その内側部分に収容部４を形成するとともに、この収容部４の上方（限定されず下方であってもよい）であって、容器上部（限定されず下部であってもよい）には、後述する注出部３´を除いてヒートシールｈしたヒートシール部Ｈを設ける。
【００３５】
そして、収容部４上端の一部（図例では右側端部）から注出部３´を上方へ向けて延設させ、この注出部３´が収容部４に連通し、これら注出部３´および収容部４内に上述したような内容物５が収容される。
【００３６】
また、ヒートシール部Ｈには、容器両端から注出部３´へ向けた中途部まで、折曲線６が形成されるとともに、これら折曲線６の内側端から、注出部３´の外側に沿って不連続な切込線７´が形成される。このとき、切込線７´には、ヒートシール部Ｈの側端部へ向けて図例のような凹凸部（形状は限定しない）を形成させ、この凹部内に切込線７´に接して注出部３´へ向け中途部までノッチ８´が軸延伸方向に形成される。
【００３７】
ここで、包装容器１´を開封して内容物５を注出させる方法を説明する。上述したように、包装容器１´の未開封状態では、胴材２のヒートシール部Ｈは、まだ折曲線６で折り曲げられておらず、ヒートシール部Ｈと、収容部４とは容器正面視あるいは側面視略一直線上の同一平面上に有するため、容器外方からは、このヒートシール部Ｈ内のノッチ８´の形成位置が、切込線７´の方に視線が引き付けられることや、あるいはヒートシール部Ｈの色、印刷文字、模様などにより分かり辛く、ノッチ８´を視認することが難しい。この状態において、幼児を含む子どもなどは、ノッチ８´の形成位置が分からず、包装容器１´を容易に開封させることはできない。
【００３８】
そして、上述のように、ヒートシール部Ｈにおける切込線７´の不連続部を破断させ、切込線７´よりも外側のヒートシール部Ｈにおける折曲部９を、図７に示すように、折曲線６に沿って折り曲げながら（図例では手前だが奥側でもよい）傾倒し、ノッチ８´を露出させる。
【００３９】
次いで、切込線７´より内側のヒートシール部Ｈであって、凹凸部に形成された凸部を指の摘み片１１として、図８に示すように、ノッチ８´を起点にして軸延伸方向（横方向）に胴材２のヒートシール部Ｈを引き裂くことで、注出部３´を開口させて注出口１０を形成し、図９に示すように、この注出口１０から内容物５を注出させることができる。
【００４０】
このような構成により、上述同様の効果が得られることに加えて、注出口１０開口の際、摘み片１１を摘むことで、容易にノッチ８´を起点として引き裂き、注出口１０を形成させることができる。
【００４１】
次に、ボトム材と、収容部を密封するトップ材とからなる包装容器であっても、上記のような構成を適用することができる。図１０は収容部を形成したボトム材と、収容部を密封するトップ材とからなる包装容器の正面図、図１１は同容器における図１０のA矢視側面図、図１２は切込線を破断し、折曲線に沿って折曲部を傾倒させ、ノッチを露出させた包装容器の斜視図、図１３は注出口から内容物の注出を説明する包装容器の斜視図である。
【００４２】
この場合、図１０〜１１に示すように、包装容器１´´は、例えばそれぞれ略長方形状（正方形や三角形など限定しない）を有する内容物５を収容する収容部４を形成したボトム材２ａと、収容部４を密封するトップ材２ｂとの胴材２´から構成され、両者の周囲をヒートシールｈするとともに、容器上部（限定されず下部であってもよい）には、後述する注出部３´´を除いてヒートシールｈしたヒートシール部Ｈを設ける。
【００４３】
なお、トップ材２ｂは、収容部４とは逆の外側から順に、内容物５を密封し接触する内側へ向けて、例えば、表面基材層、接着層、印刷基材層、色インキ、白インキ、接着層およびシーラント層からなる周知の積層体を用いることができる。
【００４４】
また、ボトム材２ａは、外側から順に、収容部４内に収容する内容物５へ向けて、例えば、表面基材層、接着層、印刷基材層、色インキ、白インキ、接着層、中間層、接着層およびシーラント層からなる周知の積層体を用いることができる。
【００４５】
なお、収容部４上端の一部（図例では中央部）から注出部３´´を上方へ向けて延設させ、この注出部３´´が収容部４に連通し、これら注出部３´´および収容部４内に上述したような内容物５が収容される。
【００４６】
また、ヒートシール部Ｈには、例えば、容器両端から注出部３´´へ向けた中途部まで折曲線６が形成されるとともに、これら折曲線６の内側端には、例えば円形状（形状限定しない、指が通らない程度の小径）の貫通穴１２が形成されるとともに、これら貫通穴１２の内側（注出部３´´）のヒートシール部Ｈには、ノッチ８´´が軸延伸方向に形成される。さらに、ヒートシール部Ｈには、これら貫通穴１２の上端から注出部３´´の外側周囲に沿って上述のような不連続な切込線７´´が形成される。
【００４７】
ここで、包装容器１´´を開封して内容物５を注出させる場合は、まず未開封状態において、ヒートシール部Ｈが未折曲状態により、ノッチ８´´は、切込線７´´の方に視線が引き付けられることや、あるいはヒートシール部Ｈの色、印刷文字、模様などで分かり辛く、ノッチ８´を視認することが難しいほか、貫通穴１２の小径により指を挿入させることができない。この状態において、幼児を含む子どもなどは、ノッチ８´´の形成位置が分からず、包装容器１´´を容易に開封させることはできない。
【００４８】
そして、上述のように、ヒートシール部Ｈにおける切込線７´´の不連続部を破断させ、切込線７´´よりも外側のヒートシール部Ｈにおける折曲部９を、図１２に示すように、貫通穴１２を基点に折曲線６に沿って折り曲げながら（図例では手前だが奥側でもよい）傾倒し、ノッチ８´´を露出させる。
【００４９】
このとき、ノッチ８´´は、貫通穴１２に接した注出部３´´側に形成させているため、この貫通穴１２の内側半円部分やヒートシール部Ｈを指の摘み部として、図１３に示すように、ノッチ８´´を起点にして軸延伸方向（横方向）に胴材２のヒートシール部Ｈを引き裂くことで、注出部３´´を開口させて注出口１０を形成し、この注出口１０から内容物５を注出させることができる。
【００５０】
このような構成により、上述同様の効果が得られることに加えて、ボトム材２ａと、トップ材２ｂとからなる材質にコシを有する容器においても、注出口１０開口の際、容易にノッチ８´´を起点として胴材２´を引き裂き、注出口１０を形成させることができる。
【００５１】
次に、収容部をコンパクトにして内容物を注出させる上記のような包装容器にしてもよい。図１４は収容部の周囲に切込線を形成した包装容器の正面図、図１５は切込線に沿ってノッチまで破断させ、破断片のヒートシール部分を持ち上げた包装容器の斜視図、図１６は破断片を摘み片として、ノッチを始点に注出部を破断させて注出口を設けた包装容器の斜視図、図１７は注出口から内容物の注出を説明する包装容器の斜視図である。
【００５２】
この場合、図１４に示すように、包装容器１´´´は、例えばそれぞれ底部に円状（限定しない）を有する略長方形状（正方形や三角形など限定しない）の内容物５を収容する円形（限定しない）の収容部４´を形成したボトム材２ａ´と、収容部４´を密封するトップ材２ｂ´との胴材２´´から構成され、両者の周囲をヒートシールｈするとともに、容器上部（限定されず下部であってもよい）には、後述する注出部３´´´を除いてヒートシールｈしたヒートシール部Ｈを設ける。
【００５３】
なお、収容部４´上端の一部（図例では中央部）から注出部３´´´を上方へ向けて延設させ、この注出部３´´´が収容部４´に連通し、これら注出部３´´´および収容部４´内に上述したような内容物５が収容される。
【００５４】
また、ヒートシール部Ｈには、例えば、容器両端から注出部３´´´へ向けた中途部まで、注出部３´´´に対して略水平方向および略垂直方向に直線を有する、例えば略扇形状（限定しない、指が通らない程度の面積）の穴部１３が形成されるとともに、これら穴部１３の略水平方向の直線内側（注出部３´´´）のヒートシール部Ｈには、ノッチ８´´´が軸延伸方向に形成される。
【００５５】
さらに、穴部１３の略垂直方向の直線下端からは、収容部４´の周囲に沿ってヒートシールｈ部分に、切込線１４が形成されるとともに、収容部４´の中央下方のヒートシールｈ部分には、切込線１４に連結した切込１５が形成される。
【００５６】
ここで、包装容器１´´´を開封して内容物５を注出させる場合は、まず未開封状態において、ノッチ８´´´が、穴部１３内側位置に形成されているため、切込線１４の方に視線が引き付けられることや、あるいはヒートシール部Ｈの色、印刷文字、模様などで分かり辛く、ノッチ８´´´を視認することが難しいほか、貫通穴１２の小径により指を挿入させることができない。この状態において、幼児を含む子どもなどは、ノッチ８´´´の形成位置が分からず、包装容器１´´´を容易に開封させることはできない。
【００５７】
そして、まず、切込１５を掴んで、図１５に示すように、切込線１４に沿ってヒートシールｈ部分を容器上方へ向けて切込線１４を破断させると、この破断作用が、穴部１３における略水平方向の直線に達したところで抑制されるとともに、ノッチ８´´´が露出する。
【００５８】
次いで、切込線１４で破断し、上方にめくり上げた外側のヒートシールｈ部分、または容器上部のヒートシールＨ部分を把持部として、図１６に示すように、ノッチ８´´´を起点にして軸延伸方向（横方向）に胴材２´´のヒートシール部Ｈを引き裂くことで、注出部３´´´を開口させて注出口１０を形成し、この注出口１０から内容物５を注出させることができる。
【００５９】
このような構成により、上述同様にボトム材２ａと、トップ材２ｂとからなる材質にコシを有する容器においても、注出口１０開口の際、容易にノッチ８´´´を起点として胴材２´´を引き裂き、注出口１０を形成させることができる。また、収容部４´周囲のヒートシールｈ部分およびヒートシール部Ｈを切取ることで、コンパクトに形成した収容部４´から内容物５を注出でき、使用性を向上させることができる。
【００６０】
また、上述した包装容器１，１´，１´´，１´´´は、平パウチを例に説明したが、本発明はこれに限定されず、図示しない胴材およびボトム材をヒートシールして形成した周知の船底型スタンディングパウチなどにも適用することができる。
【００６１】
以上詳述したように、本願発明の包装容器１，１´，１´´は、内容物５を挟入する一対の胴材２，２´，２´´の周囲をヒートシールｈして、注出部３，３´，３´´，３´´´を突設させた内容物５を収容する収容部４，４´を形成し、ヒートシールｈの一部分に開封用のノッチ８，８´，８´´，８´´´を設け、注出部３，３´，３´´，３´´´周辺のヒートシール部Ｈには、注出部３，３´，３´´，３´´´の周囲に沿って設けた不連続な切込線７，７´，７´´，１４を形成するとともに、切込線７，７´，７´´，１４より注出部３，３´，３´´，３´´´方向内側のヒートシール部Ｈに、注出部３，３´，３´´，３´´´へ向けて切込線７，７´，７´´に接するノッチ８，８´，８´´，８´´´を形成したものである。
【産業上の利用可能性】
【００６２】
本発明の包装容器は、内容物に、例えば、醤油やマヨネーズ、ケチャップなどの調味料を含む食品、歯磨粉などの練り状物やシャンプーなどの日用生活品またはハンドクリームなどの化粧品、あるいは顆粒や錠剤からなる胃腸薬などの医薬品などを収容した、あらゆるパウチに有用である。
【符号の説明】
【００６３】
１    包装容器
２    胴材
３    注出部
４    収容部
５    内容物
６    折曲線
７，１４    切込線
８    ノッチ
９    折曲部
１０    注出口
１１    摘み片
１２    貫通穴
１３    穴部
１５    切込
Ｈ    ヒートシール部
ｈ    ヒートシール
【図１】
2013180829.tif 000003
【図２】
2013180829.tif 000004
【図３】
2013180829.tif 000005
【図４】
2013180829.tif 000006
【図５】
2013180829.tif 000007
【図６】
2013180829.tif 000008
【図７】
2013180829.tif 000009
【図８】
2013180829.tif 000010
【図９】
2013180829.tif 000011
【図１０】
2013180829.tif 000012
【図１１】
2013180829.tif 000013
【図１２】
2013180829.tif 000014
【図１３】
2013180829.tif 000015
【図１４】
2013180829.tif 000016
【図１５】
2013180829.tif 000017
【図１６】
2013180829.tif 000018
【図１７】
2013180829.tif 000019